(57)【要約】【課題】撮影姿勢が仰々しくならず、カメラを構え易く、携帯にも便利な手振れ防止用カメラ支持具を提供すること。【解決手段】カメラ２０の三脚ネジ穴に第２連結片１３をねじ込んで固定する。バックル用ジョイント片１４のＬ型ジョイント部１４ｂをバックル１５の掛止穴１５ａに掛止してカメラ支持部材１１の端部にバックル１５を連結する。バックル１５のスリット１５ｂにネックストラップ１６を挿通して、カメラ支持部材１１とネックストラップ１６を連結する。カメラ支持部材１１の端部に固設した第１連結片１２とカメラ２０に固着した第２連結片１３を磁石１２ｂ，１３ｂの磁力で吸着してカメラ２０をカメラ支持部材１１の端部に固定する。ネックストラップ１６を首に掛けて吊り下げ、吊り下げたネックストラップ１６でカメラ支持部材１１の下端部を支えながら、カメラ支持部材１１を体の正面で立てる。カメラ支持部材１１に固定したカメラ２０を手で持って眼前に構え、被写体に向けて撮影する。【選択図】図１
2015022034.tif 000002
【特許請求の範囲】
【請求項１】
一端にカメラを着脱可能に連結可能で、他端にネックストラップを連結したカメラ支持部材を備え、
ネックストラップを首に掛けて吊り下げ、吊り下げたネックストラップでカメラ支持部材の下端部を支えながらカメラ支持部材を立てるとともに、カメラ支持部材に固定したカメラを手で持って眼前に構えることができるように構成したことを特徴とする手振れ防止用カメラ支持具。
【請求項２】
前記カメラ支持部材が一端に略球形の頭部を有し、他端に略半球状の中空部を有する複数個のジョイント片から成り、一のジョイント片の頭部を他のジョイント片の中空部に圧入して摺動可能に嵌合することによりカメラ支持部材が塑性変形可能に構成されていることを特徴とする請求項１に記載の手振れ防止用カメラ支持具。
【請求項３】
カメラ支持部材の端部に設けた第１連結片と、カメラの三脚ネジに着脱可能な第２連結片を備え、
第１連結片と第２連結片のうち少なくとも一方を磁石で構成し、第１連結片と第２連結片を磁力で吸着することにより、カメラをカメラ支持部材の一端に着脱可能に固定するようにしたことを特徴とする請求項１に記載の手振れ防止用カメラ支持具。
【発明の詳細な説明】
【技術分野】
【０００１】
本発明は撮影時におけるカメラの手振れを防止するカメラ支持具に関する。
【背景技術】
【０００２】
手振れ防止用カメラ支持具の一形式として、特開２００２−７７６９２号公報には、先端部にカメラの三脚ネジ穴に着脱できるネジを設けた支持棒と、支持棒の中間部に組み付けられ、支持棒との連結位置が調整可能な棒状の肩乗せアームからなる手振れ防止用カメラ支持具が開示されている。
この手振れ防止用カメラ支持具では、撮影者は肩乗せアームの支持棒との連結位置を自分の体格に合わせて調整し、調整した肩乗せアームを肩に乗せ、支持棒の先端に固定したカメラを手で持って構えながら撮影する。
この手振れ防止用カメラ支持具によれば、撮影時にカメラを肩で支持しながら構えることができるので、撮影時のカメラの手振れを防止できる。
【０００３】
また、特開２００２−１４４１８号公報には、肘受け部を形成したループ状のストラップから成る手振れ防止用カメラ支持具が開示されている。この手触れ防止用カメラ支持具は、ストラップを肩や首に掛け、カメラを持った腕の肘を肘受け部に載せて腕を固定することにより、撮影時のカメラの手振れを防止する。
【先行技術文献】
【特許文献】
【０００４】
【特許文献１】特開２００２−７７６９２号公報
【特許文献２】特開２００２−１４４１８号公報
【発明の概要】
【発明が解決しようとする課題】
【０００５】
特開２００２−７７６９２号公報に開示されている手振れ防止用カメラ支持具は、支持棒と肩乗せ棒の２本の棒材を互いに直交するように組み付け、肩乗せ棒を肩に掛けて使用するので、撮影者の撮影姿勢が仰々しくなり、小型カメラを使って気軽に行うスナップ撮影に用いるには不向きである。
【０００６】
特開２００２−１４４１８号公報に開示されている手振れ防止用カメラ支持具は、カメラを持った腕の肘を肘受け部に載せ、ストラップが緩まないように肘で肘受け部を押しながらカメラを構えなければならないので、カメラを構え難い。
本発明は上記問題点に鑑み、撮影姿勢が仰々しくならず、カメラを構え易く、携帯にも便利な手振れ防止用カメラ支持具を提供することを目的とする。
【課題を解決するための手段】
【０００７】
請求項１に記載の発明は、
一端にカメラを着脱可能に連結可能で、他端にネックストラップを連結したカメラ支持部材を備え、
ネックストラップを首に掛けて吊り下げ、吊り下げたネックストラップでカメラ支持部材の下端部を支えながらカメラ支持部材を立てるとともに、カメラ支持部材に固定したカメラを手で持って眼前に構えることができるように構成したことを特徴とする。
【０００８】
請求項２に記載の発明は、請求項１に記載の手振れ防止用カメラ支持具において、前記カメラ支持部材が一端に略球形の頭部を有し、他端に略半球状の中空部を有する複数個のジョイント片から成り、一のジョイント片の頭部を他のジョイント片の中空部に圧入して摺動可能に嵌合することによりカメラ支持部材が塑性変形可能に構成されていることを特徴とする。
【０００９】
請求項３に記載の発明は、請求項１に記載の手振れ防止用カメラ支持具において、カメラ支持部材の端部に設けた第１連結片と、カメラの三脚ネジに着脱可能な第２連結片を備え、
第１連結片と第２連結片のうち少なくとも一方を磁石で構成し、第１連結片と第２連結片を磁力で吸着することにより、カメラをカメラ支持部材の一端に着脱可能に固定するようにしたことを特徴とする。
【発明の効果】
【００１０】
請求項１に記載の発明によれば、首に掛けたネックストラップと、ネックストラップに連結したカメラ支持部材でカメラを支持するので、カメラの手持ち撮影時の手ぶれを防止でき、被写体を鮮明に撮影できる。
首に掛けたネックストラップでカメラを支持するので、撮影者がカメラを正面に構え易く、また、撮影姿勢が仰々しくならない。
【００１１】
請求項２に記載の発明によれば、カメラ支持部材が塑性変形可能であるので、コンパクトに折り畳むことができ、携帯に便利である。また、カメラ支持部材を適宜塑性変形して屈曲させたり、屈折することができるので、撮影者にとってカメラが構え易い長さに調整できる。
【００１２】
請求項３に記載の発明によれば、磁石でカメラをカメラ支持部材に着脱できるので、着脱操作が容易になり、使い勝手が良い。
【図面の簡単な説明】
【００１３】
【図１】本発明の実施例に係る手振れ防止用カメラ支持具の使用方法を示す説明図である。
【図２】同手振れ防止用カメラ支持具を示す説明図である。
【図３】同手振れ防止用カメラ支持具のカメラ支持部材を示す断面図である。
【実施例】
【００１４】
以下に本発明を図面に基づき説明する。図１〜図３には本発明の一実施例に係る手振れ防止用カメラ支持具１０が示されている。当該手振れ防止用カメラ支持具１０はカメラ支持部材１１、カメラ支持部材１１の一端に設けた第１連結片１２、カメラ２０の三角ネジ穴に着脱可能な第２連結片１３、カメラ支持部材１１の他端に連結したバックル用ジョイント片１４、バックル１５及びバックル１５に連結したネックストラップ１６を備えている。
【００１５】
カメラ支持部材１１はプラスチックで成形した多数のジョイント片１７を連結して構成されている。各ジョイント片１７は一端に略球形の頭部１７ａを有し、他端に略半球状の中空部１７ｂを有する。各ジョイント片１７は、一のジョイント片１７の頭部１７ａを他のジョイント片１７の中空部１７ｂに圧入して緊密に、かつ摺動可能に嵌合しているので、塑性変形可能に連結されている。
【００１６】
第１連結片１２は円盤形状の本体１２ａを有し、本体１２ａに磁石１２ｂが埋設され、本体１２ａの底面外側に略半球状の中空部１２ｃが形成されている。第１連結片１２はカメラ支持部材１１を構成するジョイント片１７の頭部１７ａを中空部１２ｃに嵌合することにより、カメラ支持部材１１に摺動可能に連結されている。
【００１７】
第２連結片１３は第１連結片１２と同じ円盤形状の本体１３ａを有し、本体１３ａに磁石１３ｂが埋設されるとともに、カメラの三脚ネジ穴に着脱可能なネジ部１３ｃが凸設されている。
【００１８】
バックル用ジョイント片１４は一端に略球形の頭部１４ａを有し、他端部にＬ型ジョイント部１４ｂが軸１４ｃで回動可能に組み付けられている。バックル用ジョイント片１４は頭部１４ａをカメラ支持部材１１のジョイント片１７の中空部１７ｂに圧入して緊密に、かつ摺動可能に嵌合することにより、カメラ支持部材１１に連結されている。
【００１９】
バックル１５にはバックル用ジョイント片１４のＬ型ジョイント部１４ｂが着脱可能に掛止する掛止穴１５ａとネックストラップ１６が挿通されるスリット１５ｂが形成されている。バックル１５はバックル用ジョイント片１４のＬ型ジョイント部１４ｂに掛止することにより、カメラ支持部材１１に連結されている。そして、ネックストラップ１６の一端がバックル１５のスリット１５ｂに挿通され、ネックストラップ１６とカメラ支持部材１１が連結されている。バックル１５はスリット１５ｂの周縁部分とネックストラップ１６との間に生ずる摩擦接触によって、ネックストラップ１６の任意の位置に掛止できる。
【００２０】
本実施例に係る手振れ防止用カメラ支持具１０の各部の構造は以上の通りであって、以下にその使用方法を説明する。カメラ２０の三脚ネジ穴に第２連結片１３をねじ込んで固定する。バックル用ジョイント片１４のＬ型ジョイント部１４ｂをバックル１５の掛止穴１５ａに掛止してカメラ支持部材１１の端部にバックル１５を連結する。バックル１５のスリット１５ｂにネックストラップ１６を挿通して、カメラ支持部材１１とネックストラップ１６を連結する。カメラ支持部材１１の端部に固設した第１連結片１２とカメラ２０に固着した第２連結片１３を磁石１２ｂ，１３ｂの磁力で吸着してカメラ２０をカメラ支持部材１１の端部に固定する。そして、図１に示すように、ネックストラップ１６を首に掛けて吊り下げ、吊り下げたネックストラップ１６でカメラ支持部材１１の下端部を支えながら、カメラ支持部材１１を体の正面で立てる。カメラ支持部材１１に固定したカメラ２０を手で持って眼前に構え、被写体に向けて撮影する。
【００２１】
本実施例に係る手振れ防止用カメラ支持具１０によれば、首に掛けたネックストラップ１６と、ネックストラップ１６に連結したカメラ支持部材１１でカメラ２０を支持しながら構えることができるので、カメラ２０の手持ち撮影時の手ぶれを防止でき、被写体を鮮明に撮影できる。また、首に掛けたネックストラップ１６でカメラ２０を支持するので、撮影者がカメラ２０を正面に構え易く、撮影姿勢も仰々しくならない。
【００２２】
図１や図２に示すように、カメラ支持部材１１が塑性変形可能であるので、コンパクトに折り畳むことができる。また、適宜塑性変形して屈曲させたり、屈折することができるので、撮影者にとってカメラ２０が構え易い長さに調整できる。
【００２３】
磁石１２ｂ，１３ｂでカメラ２０をカメラ支持部材１１に着脱できるので、着脱操作が容易になり、使い勝手が良い。また、ネックストラップ１６とカメラ支持部材１１を分離できるので、携帯に便利である。
【符号の説明】
【００２４】
１０…手振れ防止用カメラ支持具
１１…カメラ支持部材
１２…第１連結片
１２ｂ…磁石
１３…第２連結片
１３ｂ…磁石
１３ｃ…ネジ部
１４…バックル用ジョイント片
１５…バックル
１６…ネックストラップ
１７…ジョイント片
１７ａ…頭部
１７ｂ…中空部
２０…カメラ
【図１】
2015022034.tif 000003
【図２】
2015022034.tif 000004
【図３】
2015022034.tif 000005